(57)【要約】  注射器用フィルター構造体が提供される。注射器用フィルター構造体は、シリンダーの前方に結合された注射針を通じて後方に流入した注射液を排出させる時にフィルタリングするために、シリンダーの内部に設置されて注射針と連結され、注射液が流入する第１流体経路がシリンダーから注射液が排出される第２流体経路と重ならないように第２流体経路が第１流体経路の外周部に形成されたフィルター部を含むものの、フィルター部は注射針と連結され、第２流体経路を塞いで第１流体経路を通じてシリンダーの内部で注射液を流入させる第１チェックバルブ、第１流体経路を塞いで第２流体経路を通じてシリンダーの外部に注射液を排出させる第２チェックバルブおよび第２流体経路上に設置されて第２チェックバルブを通って排出される注射液をフィルタリングするフィルター部材および第１チェックバルブとフィルター部材の間に位置し、前方部は第１チェックバルブと結合し、後方部は第２チェックバルブと結合してフィルター部材を第２チェックバルブに密着させるフィルターボディーを含む。
2018515264.tif 000002
【特許請求の範囲】
【請求項１】
シリンダーの前方に結合された注射針を通じて後方に流入した注射液を排出させる時にフィルタリングするための注射器用フィルター構造体であって、
前記シリンダーの内部に設置されて前記注射針と連結され、前記注射液が流入する第１流体経路が前記シリンダーから前記注射液が排出される第２流体経路と重ならないように、前記第２流体経路が前記第１流体経路の外周部に形成されたフィルター部を含むものの、
前記フィルター部は
前記注射針と連結され、前記第２流体経路を塞いで前記第１流体経路を通じて前記シリンダーの内部に前記注射液を流入させる第１チェックバルブ；
前記第１流体経路を塞いで前記第２流体経路を通じて前記シリンダーの外部に前記注射液を排出させる第２チェックバルブ；および
前記第２流体経路上に設置されて前記第２チェックバルブを通って排出される前記注射液をフィルタリングするフィルター部材；および
前記第１チェックバルブと前記フィルター部材の間に位置し、前方部は前記第１チェックバルブと結合し、後方部は前記第２チェックバルブと結合して前記フィルター部材を前記第２チェックバルブに密着させるフィルターボディー；を含む、
注射器用フィルター構造体。
【請求項２】
前記シリンダーの内部に設置され、前方には前記注射針が結合され、後方には前記フィルター部が収容される収容部が形成されたフィルターホルダーを含むものの、
前記フィルターホルダーは筒状であって、中心部には前記注射液が通過する通過ホールが形成されるものの、前記通過ホールは前記第１流体経路および前記第２流体経路と連結された、
請求項１に記載の注射器用フィルター構造体。
【請求項３】
前記収容部に収容された前記フィルター部が前方に抜けないように、前記収容部の前方部には前記フィルターホルダーの内側方向に突出形成された係止段が備えられた、
請求項２に記載の注射器用フィルター構造体。
【請求項４】
前記フィルターホルダーの外周面には、前記シリンダーの内部と前記フィルターホルダーの外周面をシーリングするために内側方向に陥没形成されたオーリング溝が備えられた、
請求項３に記載の注射器用フィルター構造体。
【請求項５】
前記フィルターボディーは
筒状の第１外側筒部；
前記第１外側筒部と連結され前記第１外側筒部の内部に形成された第１内側筒部；および
前記第１内側筒部から後方に延長形成された延長管；を含む、
請求項３に記載の注射器用フィルター構造体。
【請求項６】
前記フィルターボディーは
前記第１内側筒部および前記延長管の中心部には前記第１流体経路上に第１吸入ホールが形成され、前記第１外側筒部および前記第１内側筒部の間には前記第２流体経路上に第１排出ホールが形成された、
請求項５に記載の注射器用フィルター構造体。
【請求項７】
前記フィルターホルダーの内周面には複数個の突起が形成され、
前記第１外側筒部の外周面には前記複数個の突起に対応するように形成された複数個の挿入溝が形成され、前記フィルターホルダーの前記収容部に前記フィルターボディーが結合される、
請求項５に記載の注射器用フィルター構造体。
【請求項８】
前記第１チェックバルブは
前方部に前記注射液が流入または排出される時前記第１排出ホールを選択的に塞ぐために、前記フィルターボディーの前面に密着して配置される円盤状の円盤部；および
前記円盤部から後方に突出形成されて前記第１吸入ホールに挿入されて結合される第１柱部；を含むものの、
前記円盤部および前記第１柱部の中心部には前記第１流体経路上に第２吸入ホールが形成された、
請求項６に記載の注射器用フィルター構造体。
【請求項９】
前記円盤部は前記係止段の後方に離隔配置されて、前記係止段と前記円盤部の間には前記円盤部が前記第１排出ホールと離隔できる移動空間が形成された、
請求項８に記載の注射器用フィルター構造体。
【請求項１０】
前記第２チェックバルブは
筒状の第２外側筒部；
前記第２外側筒部と連結され前記第２外側筒部の内部に形成された第２内側筒部を含むものの、
前記第２内側筒部の中心部には前記延長管が挿入されて前記フィルター部材を前記第２チェックバルブの前面に密着させる前記第１流体経路上に第３吸入ホールが形成され、
前記第２外側筒部と前記第２内側筒部の間には前記第２流体経路上に第２排出ホールが形成される、
請求項６に記載の注射器用フィルター構造体。
【請求項１１】
前記第３吸入ホールの一側には少なくとも一部が切開された切開線が形成された切開面を含むものの、
前記切開面は前記注射液が流入または排出される時前記第３吸入ホールを選択的に塞ぐ、
請求項１０に記載の注射器用フィルター構造体。
【請求項１２】
前記第１排出ホールおよび前記第２排出ホールは円周方向に延長され、それぞれ前記第１吸入ホールおよび前記第３吸入ホールの少なくとも一部を囲むように形成された、
請求項１０に記載の注射器用フィルター構造体。
【請求項１３】
前方に注射針が装着された固定部材；
前記固定部材が着脱可能に結合されるシリンダー；
前記シリンダーの内部に設置され、前記固定部材と結合される請求項１〜請求項１２のいずれか一項に記載されたフィルター構造体；および
前記シリンダーの内部に少なくとも一部が挿入された状態で前方または後方に移動して注射液を前記シリンダーの内部に流入させるか前記シリンダーの外部に排出させるピストン；を含む、注射器。
【請求項１４】
前記フィルターホルダーの前方の内周面には螺子山が形成されて前記固定部材の後方部と螺合して前記固定部材の少なくとも一部が前記フィルターホルダーの内部に設置される、
請求項１３に記載の注射器。
【請求項１５】
前記ピストンは
前記シリンダーの内部に挿入されて一方に移動するピストンボディー；
前記ピストンボディーの前端に結合されて前記シリンダーの内部に密着するように嵌め込まれるガスケット；および
前記ピストンボディーの前端部に位置し、前方に突出形成されて前記ガスケットを前記ピストンボディーに結合させる結合軸部材を含む、
請求項１３に記載の注射器。
【請求項１６】
前記結合軸部材の端部には後方に陥没形成された結合溝が備えられた係止突起が形成され、
前記第１内側筒部の内周面には内側方向に延長形成された支持段を含むものの、
前記結合軸部材が前記第３吸入ホールを貫通すると前記係止突起の後端面が前記支持段によって支持される、
請求項１５に記載の注射器。
【請求項１７】
前記係止突起は弾性変形可能な材質で形成された、
請求項１６に記載の注射器。
【請求項１８】
前記ピストンボディーは
前記結合軸部材と前記ピストンボディーの後端部の間に内側方向に陥没形成された折れ溝を含む、
請求項１５に記載の注射器。
【発明の詳細な説明】
【技術分野】
【０００１】
本発明は，注射器用フィルター構造体およびこれを含む注射器に関する。
【背景技術】
【０００２】
一般に注射器は、患者の血管から血液を採取したり、体内から血液以外の他の体液を採取する際に用いられる。一方、血管内部に直接薬物を注射したり筋肉の内部または皮下などに薬物を注射する際に用いられる。
【０００３】
すなわち、注射器は体内から体液を採取したり、体内に注射液を注入する際に用いることができる。
【０００４】
一方、注射器を通じて注射液を体内に注射する時、ガラスアンプルに入っているかゴム栓が付いている小さいガラス瓶の内側に入っている薬物を注射器の中に移すためにはガラスアンプルの上端部を切断し、切断された部分を通じて注射針を入れて注射する薬物を吸入する。
【０００５】
従来の注射器を通じて注射液を体内に注射する時、多量ではないが微細なガラス粒子乃至破片が注射液と共に混ぜられて注射器内に吸入されて微細なガラス粒子および注射液が共に体内に注射される場合があり得る。
【０００６】
このような注射液を患者に投入する場合、注射液と共に微細なガラス粒子が人体に投与されてしまい、患者の健康に悪影響を及ぼしてしまう問題点がある。
【０００７】
また、従来の注射器は、注射液を吸入する際にフィルターによってアンプルのガラス粒子が濾されるものの、患者に注射する時にはアンプルのガラス粒子が付いているフィルターを除去した後に注射しなければならないため、注射過程が煩雑であった。
【発明の概要】
【発明が解決しようとする課題】
【０００８】
本発明の一実施例は、注射液を注射器内に注入する時はフィルター部材を通さず、注射液を患者に注入する時はフィルター部材を通すようにすることによって、注射過程が簡便であり、かつアンプルのガラス粒子が患者に注入されないようにする、注射器用フィルター構造体およびこれを含む注射器を提供する。
【課題を解決するための手段】
【０００９】
本発明の一側面によると、シリンダーの前方に結合された注射針を通じて後方に流入した注射液を排出させる時にフィルタリングするために、前記シリンダーの内部に設置されて前記注射針と連結され、前記注射液が流入する第１流体経路が前記シリンダーから前記注射液が排出される第２流体経路と重ならないように、前記第２流体経路が前記第１流体経路の外周部に形成されたフィルター部を含むものの、前記フィルター部は前記注射針と連結され、前記第２流体経路を塞いで前記第１流体経路を通じて前記シリンダーの内部に前記注射液を流入させる第１チェックバルブ、前記第１流体経路を塞いで前記第２流体経路を通じて前記シリンダーの外部に前記注射液を排出させる第２チェックバルブおよび前記第２流体経路上に設置されて前記第２チェックバルブを通って排出される前記注射液をフィルタリングするフィルター部材および前記第１チェックバルブと前記フィルター部材の間に位置し、前方部は前記第１チェックバルブと結合し、後方部は前記第２チェックバルブと結合して前記フィルター部材を前記第２チェックバルブに密着させるフィルターボディーを含む、注射器用フィルター構造体が提供される。
【００１０】
この時、前記シリンダーの内部に設置され、前方には前記注射針が結合され、後方には前記フィルター部が収容される収容部が形成されたフィルターホルダーを含むものの、前記フィルターホルダーは筒状であって、中心部には前記注射液が通過する通過ホールが形成されるものの、前記通過ホールは前記第１流体経路および前記第２流体経路と連結され得る。
【００１１】
この時、前記収容部に収容された前記フィルター部が前方に抜けないように、前記収容部の前方部には前記フィルターホルダーの内側方向に突出形成された係止段が備えられ得る。
【００１２】
この時、前記フィルターホルダーの外周面には、前記シリンダーの内部と前記フィルターホルダーの外周面をシーリングするために内側方向に陥没形成されたオーリング溝が備えられ得る。
【００１３】
この時、前記フィルターボディーは、筒状の第１外側筒部、前記第１外側筒部と連結され前記第１外側筒部の内部に形成された第１内側筒部および前記第１内側筒部から後方に延長形成された延長管を含むことができる。
【００１４】
この時、前記フィルターボディーは、前記第１内側筒部および前記延長管の中心部には前記第１流体経路上に第１吸入ホールが形成され、前記第１外側筒部および前記第１内側筒部の間には前記第２流体経路上に第１排出ホールが形成され得る。
【００１５】
この時、前記フィルターホルダーの内周面には複数個の突起が形成され、前記第１外側筒部の外周面には前記複数個の突起に対応するように形成された複数個の挿入溝が形成され、前記フィルターホルダーの前記収容部に前記フィルターボディーが結合され得る。
【００１６】
この時、前記第１チェックバルブは、前方部に前記注射液が流入または排出される時に前記第１排出ホールを選択的に塞ぐために、前記フィルターボディーの前面に密着して配置される円盤状の円盤部および前記円盤部から後方に突出形成されて前記第１吸入ホールに挿入されて結合される第１柱部を含むものの、前記円盤部および前記第１柱部の中心部には前記第１流体経路上に第２吸入ホールが形成され得る。
【００１７】
この時、前記円盤部は前記係止段の後方に離隔配置されて、前記係止段と前記円盤部の間には前記円盤部が前記第１排出ホールと離隔できる移動空間が形成され得る。
【００１８】
この時、前記第２チェックバルブは、筒状の第２外側筒部、前記第２外側筒部と連結され前記第２外側筒部の内部に形成された第２内側筒部を含むものの、前記第２内側筒部の中心部には前記延長管が挿入されて前記フィルター部材を前記第２チェックバルブの前面に密着させる前記第１流体経路上に第３吸入ホールが形成され、前記第２外側筒部と前記第２内側筒部の間には前記第２流体経路上に第２排出ホールが形成され得る。
【００１９】
この時、前記第３吸入ホールの一側には少なくとも一部が切開された切開線が形成された切開面を含むものの、前記切開面は前記注射液が流入または排出される時前記第３吸入ホールを選択的に塞ぐことができる。
【００２０】
この時、前記第１排出ホールおよび前記第２排出ホールは円周方向に延長され、それぞれ前記第１吸入ホールおよび前記第３吸入ホールの少なくとも一部を囲むように形成され得る。
【００２１】
本発明の他の側面によると、前方に注射針が装着された固定部材、前記固定部材が着脱可能に結合されるシリンダー、前記シリンダーの内部に設置され、前記固定部材と結合される前述したフィルター構造体および前記シリンダーの内部に少なくとも一部が挿入された状態で前方または後方に移動して注射液を前記シリンダーの内部に流入させたり前記シリンダーの外部に排出させるピストンを含む注射器が提供される。
【００２２】
この時、前記フィルターホルダーの前方の内周面には螺子山が形成されて前記固定部材の後方部と螺合して前記固定部材の少なくとも一部が前記フィルターホルダーの内部に設置され得る。
【００２３】
この時、前記ピストンは前記シリンダーの内部に挿入されて一方に移動するピストンボディー、前記ピストンボディーの前端に結合されて前記シリンダーの内部に密着するように嵌め込まれるガスケットおよび前記ピストンボディーの前端部に位置し、前方に突出形成されて前記ガスケットを前記ピストンボディーに結合させる結合軸部材を含むことができる。
【００２４】
この時、前記結合軸部材の端部には後方に陥没形成された結合溝が備えられた係止突起が形成され、前記第１内側筒部の内周面には内側方向に延長形成された支持段を含むものの、前記結合軸部材が前記第３吸入ホールを貫通すると前記係止突起の後端面が前記支持段によって支持され得る。
【００２５】
この時、前記係止突起は弾性変形可能な材質で形成され得る。
【００２６】
この時、前記ピストンボディーは前記結合軸部材と前記ピストンボディーの後端部の間に内側方向に陥没形成された折れ溝を含むことができる。
【発明の効果】
【００２７】
本発明の一実施例に係る注射器用フィルター構造体を含む注射器は、フィルター構造体を含んで注射液を注射器内に注入する時はフィルター部材を通さず、注射液を患者に注入する時はフィルター部材を通すようにすることによって、注射過程が簡便であり、かつ異物が患者に注入されないようにすることができる。
【００２８】
本発明の一実施例に係るフィルター構造体を含む注射器は、注射針の再使用を防止するとともに注射針が外部に抜けないようにするので注射器を廃棄する過程で注射針に刺される安全事故も防止することができる。
【図面の簡単な説明】
【００２９】
【図１】本発明の一実施例に係る注射器用フィルター構造体を含む注射器を図示した斜視図。
【図２】本発明の一実施例に係る注射器用フィルター構造体を含む注射器を図示した分解斜視図。
【図３】本発明の一実施例に係る注射器用フィルター構造体を含む注射器を図示した断面図。
【図４】本発明の一実施例に係る注射器用フィルター構造体を図示した斜視図。
【図５】本発明の一実施例に係る注射器用フィルター構造体のフィルターホルダーの断面を図示した斜視図。
【図６】本発明の一実施例に係る注射器用フィルター構造体のフィルターボディーの断面を図示した斜視図。
【図７】本発明の一実施例に係る注射器用フィルター構造体の第２チェックバルブの断面を図示した斜視図。
【図８】本発明の一実施例に係る注射器用フィルター構造体を含む注射器に注射液が流入することを図示した断面図。
【図９】本発明の一実施例に係る注射器用フィルター構造体を含む注射器に注射液が排出されることを図示した断面図。
【図１０】本発明の一実施例に係る注射器用フィルター構造体を含む注射器の係止突起が支持段に結合された状態を図示した断面図。
【図１１】本発明の一実施例に係る注射器用フィルター構造体を含む注射器の折れ溝がシリンダーの外部に露出することを図示した断面図。
【発明を実施するための形態】
【００３０】
以下、添付した図面を参照して本発明の実施例に対して、本発明が属する技術分野で通常の知識を有した者が容易に実施できるように詳細に説明する。本発明は多様な形態で具現し得、ここで説明する実施例に限定されない。図面において本発明を明確に説明するために、説明と関係のない部分は省略し、明細書全体に亘って同一または類似の構成要素に対しては同じ参照符号を付した。
【００３１】
本明細書において、「含む」または「有する」などの用語は、明細書上に記載された特徴、数字、段階、動作、構成要素、部品またはこれらを組み合わせたものが存在することを指定しようとするものであり、一つまたはそれ以上の他の特徴や数字、段階、動作、構成要素、部分品またはこれらを組み合わせたものなどの存在または付加可能性をあらかじめ排除しないものと理解されるべきである。また、層、膜、領域、板などの部分が他の部分の「上に」あるとする場合、これは他の部分の「真上に」ある場合だけでなくその中間にさらに他の部分がある場合も含む。反対に、層、膜、領域、板などの部分が他の部分の「下に」あるとする場合、これは他の部分の「真下に」ある場合だけでなくその中間にさらに他の部分がある場合も含む。
【００３２】
以下、図面を参照して本発明の一実施例に係る注射器用フィルター構造体およびこれを含む注射器をより詳細に説明する。また、本発明の一実施例において、注射液は薬液とガラス粒子などの異物が混合された物質を意味する。
【００３３】
図１は、本発明の一実施例に係る注射器用フィルター構造体を含む注射器を図示した斜視図である。
【００３４】
以下の説明においては、図１から見た時、ピストンからカバー方向を前方とし、カバーからピストン方向を後方と規定して説明する。
【００３５】
図１を参照すると、本発明の一実施例に係る注射器用フィルター構造体３を含む注射器１は、注射針ハブ３０、シリンダー１１、ピストン１０およびフィルター構造体３を含むことができる。
【００３６】
本発明の一実施例に係る注射器用フィルター構造体３を含む注射器１は、フィルター構造体を含んで注射液を注射器内に注入する時はフィルター部材を通さず、注射液を患者に注入する時はフィルター部材を通すようにすることによって、注射過程が簡便であり、かつ異物が患者に注入されないようにすることができる。
【００３７】
図２は、本発明の一実施例に係る注射器用フィルター構造体を含む注射器を図示した分解斜視図である。図３は、本発明の一実施例に係る注射器用フィルター構造体を含む注射器を図示した断面図である。
【００３８】
図１および図２を参照すると、本発明の一実施例において、注射針ハブ３０は注射針３４が装着された固定部材３１および注射針を覆うカバー３３を含むことができる。
【００３９】
図２に図示された通り、本発明の一実施例において、固定部材３１の前方部には注射針３４が装着され得る。また固定部材３１の後方部の外周面には第１対応結合部３２が形成され得る。
【００４０】
一方、第１対応結合部３２は、雄螺子状に形成されてフィルターホルダー５１の第１結合部５３と結合することによって、固定部材３１の少なくとも一部がフィルターホルダーの内部に設置され得る。
【００４１】
この時、第１結合部５３はフィルターホルダー５１の前方側の内周面に雌螺子状に形成され得るが、第１結合部５３および第１対応結合部３２が螺合できるのであればこれに限定されはしない。
【００４２】
一方、図２および図３を参照すると、本発明の一実施例において、シリンダー１１は内部に注射液が貯蔵できるように中空部が形成された円筒状であり得る。この時、シリンダー１１の前方部の内部にはフィルターホルダー５１が設置され得る。
【００４３】
図３、図４、図８および図９を参照すると、本発明の一実施例に係るフィルター構造体３は、シリンダー１１の内部に設置されて注射液が流入する第１流体経路がシリンダーから注射液が排出される第２流体経路と重ならないように形成されたフィルター部５０を含むことができる。
【００４４】
一方、第２流体経路が第１流体経路の外周部に形成され得る。この時、第１流体経路は通過ホール５４ａ、第２吸入ホール６１ａ、第１吸入ホール５９および第３吸入ホール６７ａであり、第２流体経路は第２排出ホール６２、第１排出ホール６８および通過ホール５４ａである。
【００４５】
これを通じて本発明の一実施例に係るフィルター構造体３は、注射液を注射器内に注入する時はフィルター部材６５を通さず、注射液を患者に注入する時はフィルター部材を通すようにすることによって、注射過程が簡便であり、かつアンプルのガラス粒子が患者に注入されないようにすることができる。
【００４６】
より詳細には、本発明の一実施例において、フィルター部５０はシリンダー１１の前方部に結合してフィルターホルダー５１、第１チェックバルブ６１、フィルターボディー５５、フィルター部材６５および第２チェックバルブ６６を含むことができる。この時、本発明の一実施例に係るフィルター構造体３は、フィルター部５０を含み、注射液を排出する時に、注射液に含まれた異物を濾過することができる。
【００４７】
図２を参照すると、本発明の一実施例においてフィルターホルダー５１の前方部には注射針３４が装着された固定部材３１をシリンダー１１の内部に固定させて、注射針３４を通じてシリンダー１１の内部に注射液が流入するかシリンダーの外部に排出され得る。
【００４８】
一方、図４および図５を参照すると、フィルターホルダー５１は筒状であって、後方にはフィルター部５０が収容され得る収容部Ｓ１が形成され得る。
【００４９】
また、フィルターホルダー５１の中心部には注射針３４を通じて注射液が吸入または排出される通過柱部５４が形成され得る。
【００５０】
この時、通過柱部５４はフィルターホルダー５１の中心部から前方に突出形成された円柱の形態であって、通過柱部の中心部には注射液が貫通できるように通過ホール５４ａが形成され得る。
【００５１】
また、通過柱部５４には固定部材３１が挿入されて通過ホール５４ａと注射針３４の注射液が流動できるように連結される。この時、通過ホール５４ａは、第１流体経路および第２流体経路と連結され得る。
【００５２】
図５を参照すると、本発明の一実施例において、フィルターホルダー５１はシリンダー１１の前方に抜けないように、後方に行くほど直径が大きくなってもよい。
【００５３】
また、フィルターホルダー５１の外周面にはシリンダー１１の内部とフィルターホルダーの外周面とをシーリングするために、内側方向に陥没したオーリング溝５２が形成され得る。
【００５４】
この時、オーリング溝５２にはオーリング３５が設置されてフィルターホルダー５１がシリンダー１１の内部に密着して結合できるようにする。
【００５５】
一方、本発明の一実施例において、フィルターホルダー５１の内周面に複数個の突起５１ａが内側方向に突出形成され得る。このような複数個の突起５１ａは、フィルターボディー５５の外周面に形成された複数個の挿入溝５６ａに挿入されて結合され得る。
【００５６】
この時、複数個の突起５１ａは複数個の挿入溝５６ａに対応するように形成され得る。これを通じてフィルターホルダー５１の収容部Ｓ１にフィルターボディー５５が結合して注射液の流動にもフィルターボディーは固定され得る。
【００５７】
図５を参照すると、フィルターホルダー５１は収容部Ｓ１の前方部に内側方向に突出形成された係止段５１ｂを具備することができる。
【００５８】
これを通じてフィルターホルダー５１の収容部Ｓ１にフィルター部５０が前方に抜けないようにすることができる。すなわち、フィルターホルダー５１の収容部Ｓ１に収容された第１チェックバルブ６１が係止段５１ｂによってフィルターホルダーの前方に抜けることを防止することができる。
【００５９】
一方、図２および図５を参照すると、フィルターホルダー５１の後方に形成された収容部Ｓ１には、第１チェックバルブ６１、フィルターボディー５５、フィルター部材６５および第２チェックバルブ６６が収容され得る。
【００６０】
図２および図３を参照すると、本発明の一実施例において、フィルターホルダー５１の係止段５１ｂを基準として、前方部には固定部材３１が結合され得、後方部には第１チェックバルブ６１、フィルターボディー５５、フィルター部材６５および第２チェックバルブ６６が順に結合され得るが、この順に限定されはしない。
【００６１】
本発明の一実施例に係るフィルター構造体３は、第１チェックバルブ６１および第２チェックバルブ６６を含んで第１流体経路と第２流体経路はチェックバルブ構造によって互いに異なる方向にのみ開放を可能にする。
【００６２】
一方、本発明の一実施例において、第１チェックバルブ６１は第２流体経路を塞ぐことによって第１流体経路を通じてシリンダー１１の内部に注射液を流入させることができる。また、第２チェックバルブ６６は第１チェックバルブ６１と連結され、第１流体経路を塞ぐことによって第２流体経路を通じてシリンダー１１の外部に注射液を排出させることができる。
【００６３】
この時、フィルター部材６５は第２流体経路上に設置され、第２チェックバルブ６６を通って排出される注射液をフィルタリングすることができる。
【００６４】
図４および図６を参照すると、本発明の一実施例に係るフィルター構造体３はフィルターボディー５５を含むことができる。
【００６５】
図６を参照すると、フィルターボディー５５は縦断面がＴ字状であって、第１チェックバルブ６１とフィルター部材６５の間に位置する。またフィルターボディー５５は第１外側筒部５６、第１内側筒部５７および延長管５８を含むことができる。
【００６６】
また、フィルターボディー５５の前方部では第１チェックバルブ６１を支持し、後方部ではフィルター部材を第２チェックバルブ６６に密着させる。
【００６７】
図４および図６を参照すると、第１外側筒部５６は筒状であって、フィルターホルダー５１の収容部Ｓ１に挿入されて結合できるように第１外側筒部の外周面には複数個の挿入溝５６ａが形成され得る。複数個の挿入溝５６ａは、フィルターホルダー５１の内周面に形成された複数個の突起５１ａと対応するように形成されて嵌合する。
【００６８】
一方、第１外側筒部５６の内部には第１外側筒部５６と連結された第１内側筒部５７が形成され得る。第１内側筒部５７は筒状であって、第１外側筒部５６と第１内側筒部５７の間には第２流体経路上に第１排出ホール５６ｂが形成され得る。
【００６９】
図６を参照すると、第１内側筒部５７は後方の延長管５８と連結される。延長管５８は第１内側筒部５７の後方に延長形成され得る。この時、第１内側筒部５７と延長管５８の中心部には第１流体経路上に第１吸入ホール５９が形成され得る。
【００７０】
一方、本発明の一実施例において、フィルターボディー５５は中心部に形成された第１吸入ホール５９を中心にその周辺には注射液が排出される第１排出ホール５６ｂがフィルターボディーの長さ方向に貫通するように一対で形成され得る。
【００７１】
この時、図３を参照すると、第１排出ホール５６ｂは円周方向に延長形成されて第１吸入ホール５９の少なくとも一部を囲むように第１吸入ホールの周りに形成され得る。
【００７２】
一方、本発明の一実施例において、第１内側筒部５７の内周面には内側方向に延長形成された支持段５７ａが形成される。この時、結合軸部材１５が第１吸入ホール５９に挿入される時に係止突起１７が支持段によって支持されて結合軸部材とフィルターボディー５５が結合され得る。
【００７３】
一方、フィルターボディー５５すなわち、第１外側筒部５６および第１内側筒部５７の前方部には第１チェックバルブ６１が位置する。この時、第１チェックバルブ６１は第１吸入ホール５９に挿入されてフィルターボディー５５と連結される。これを通じてフィルターボディー５５は第１チェックバルブ６１の円盤部６２を支持することができる。
【００７４】
図４を参照すると、本発明の一実施例において、第１チェックバルブ６１は縦断面がＴ字状であって、円盤部６２および第１柱部６３を含むことができる。
【００７５】
本発明の一実施例において、円盤部６２は円盤状であって、フィルターボディー５５の前面に密着して配置され得る。また、円盤部６２は第１チェックバルブ６１の前方部に形成されて注射液が流入または排出される時にフィルターボディー５５の第１排出ホール５６ｂを選択的に塞ぐことができる。
【００７６】
一方、円盤部６２はフィルターホルダー５１の係止段５１ｂから後方に離隔配置されて係止段と円盤部の間には第１排出ホール５６ｂに密着した第１チェックバルブ６１が第１排出ホール５６ｂに離隔できるようにする移動空間Ｓ２が形成され得る。
【００７７】
すなわち、シリンダー１１の外部に注射液が排出される時には第１チェックバルブ６１の円盤部６２がフィルターホルダー５１の係止段５１ｂ側に移動して第１チェックバルブとフィルターボディー５５の間に移動空間Ｓ２が形成され、このような移動空間Ｓ２を通じて注射液が排出され得る。
【００７８】
一方、本発明の一実施例において、第１チェックバルブ６１の円盤部６２は弾性材質で形成されて円盤部６２の弾性変形によりフィルターボディー５５の第１排出ホール５６ｂを選択的に塞ぐことができる。
【００７９】
本発明の一実施例において、第１柱部６３は円柱状であって、円盤部６２から後方に突出形成され得る。また、第１柱部６３はフィルターボディー５５の第１吸入ホール５９に挿入されてフィルターボディーと結合され得る。
【００８０】
一方、第１チェックバルブ６１の中心部すなわち、円盤部６２および第１柱部６３には注射液が吸入されるように第２吸入ホール６１ａが形成され得る。
【００８１】
この時、シリンダー１１の内部に注射液が吸入される時には第１チェックバルブ６１の円盤部６２がフィルターボディー５５の第１排出ホール５６ｂを塞ぐため、第１吸入ホール５９および第２吸入ホール６１ａを通じて注射液がシリンダー１１の内部に流入することができる。
【００８２】
図３および図４を参照すると、第１チェックバルブ６１の第１柱部６３はフィルターボディー５５の第１吸入ホール５９に挿入されて第１吸入ホールは第２吸入ホール６１ａと連結され得る。
【００８３】
一方、本発明の一実施例において、フィルター部材６５は円盤状であって、中心部には注射液が吸入される開口部６５ａが形成され得る。またフィルター部材６５の開口部６５ａにはフィルターボディー５５の延長管５８が挿入されることによって、フィルター部材はフィルターボディーと第２チェックバルブ６６の間に固定され得る。
【００８４】
一方、フィルター部材６５は第２チェックバルブ６６の第２排出ホール６８を覆うように形成されて注射液が第２排出ホール６８を通過する時にフィルター部材を通過するようにすることができる。
【００８５】
すなわち、本発明の一実施例に係るフィルター構造体３は、注射液を排出する時にのみフィルター部材６５を通過できるようにすることによって、吸入時には注射液を容易に吸入することができる。
【００８６】
また、フィルター部材６５は第２排出ホール６８を通過する注射液に含まれた異物を濾過できる稠密度を有するものであれば、種類にかかわらず多様な材質を使うことができる。
【００８７】
図７を参照すると、本発明の一実施例において、第２チェックバルブ６６は円筒状であって、第２外側筒部６７および第２内側筒部６９を含むことができる。
【００８８】
一方、第２外側筒部６７は筒状であって、フィルターホルダー５１の収容部Ｓ１に収容され得る。第２外側筒部６７の内部には第２外側筒部と連結された第２内側筒部が形成され得る。
【００８９】
また、第２外側筒部６７と第２内側筒部６９の間には第２流体経路上に第２排出ホール６８が形成されて注射液を排出することができる。
【００９０】
一方、図７を参照すると、第２内側筒部６７の中心部には注射液を吸入できるように第１流体経路上に第３吸入ホール６７ａが形成され得る。
【００９１】
この時、第３吸入ホール６７ａにはフィルターボディー５５の延長管５８が挿入されてフィルター部材６５を第２チェックバルブ６６の前面に密着させることができる。また、これを通じて第１吸入ホール５９と第３吸入ホール６７ａが連結され得る。
【００９２】
図４を参照すると、第２排出ホール６８は、第２チェックバルブ６６に形成された第３吸入ホール６７ａを中心としてその周辺に第２チェックバルブの長さ方向に貫通するように一対で形成され得る。
【００９３】
図４を参照すると、第２排出ホール６８は円周方向に延長形成されて第３吸入ホール６７ａの少なくとも一部を囲むように形成された第３吸入ホールの周りに形成され得る。
【００９４】
一方、本発明の一実施例に係るフィルター構造体３は、第３吸入ホール６７ａの一側例えば後方面には少なくとも一部が切開された切開線７１ａが形成された切開面６９ａを含むことができる。
【００９５】
これを通じて本発明の一実施例に係るフィルター構造体３は、注射液が第３吸入ホール６７ａを選択的に通過できるようにして注射液を排出させる時にのみフィルター部材６５を通過できるようにする。
【００９６】
図３を参照すると、本発明の一実施例において、切開線６９ａは「−」または「＋」の形態で切り込みを入れたもので、外側から内側に切込みを入れた方が吸入時にはよく広がり、排出時には堅固に閉じられ得る。
【００９７】
この時、本発明の一実施例において、切開面７１は弾性変形が可能な材質で形成され得る。
【００９８】
一方、本発明の一実施例において、第１チェックバルブ６１および第２チェックバルブ６６は流路の開閉のために弾性変形可能な材質、例えばシリコン材質から形成され得る。したがって、第１チェックバルブ６１および第２チェックバルブ６６は弾性力に優れ、かつ衛生に無害なものでなければならない。
【００９９】
一方、図２を参照すると、本発明の一実施例に係るフィルター構造体３は、シリンダー１１は内部に設置され得る。すなわち、シリンダー１１の前方部にはフィルターホルダー５１が結合し、シリンダー１１の後方部にはピストン１０が挿入されて上下移動できるように結合される。
【０１００】
本発明の一実施例において、ピストン１０はピストンボディー１３およびガスケット１９を含むことができる。
【０１０１】
図２および図３を参照すると、本発明の一実施例において、ピストンボディー１３は前方部にガスケット１９が結合するように、前方側に突出形成された結合軸部材１５を含むことができる。
【０１０２】
一方、図２を参照すると、結合軸部材１５は円柱状であって、ピストンボディー１３の中心部に形成されてガスケット１９と嵌合する。
【０１０３】
すなわち、結合軸部材１５の前端部には、第１内側筒部５７の内周面に形成された支持段５７ａにより支持されるように前方に突出形成された係止突起１７が形成され得る。
【０１０４】
一方、図１０および図１１を参照すると、結合軸部材１５が第３吸入ホール６７ａに貫通すると係止突起１７の後端面が支持段５７ａにより支持され得る。
【０１０５】
また、係止突起１７は前方部に結合溝１７ａが形成され得る。結合溝１７ａは後方に陥没形成され、係止突起１７はピンセット状に形成され得る
【０１０６】
この時、係止突起１７は弾性変形されて支持段５７ａによって支持される支持力を高めることができる。
【０１０７】
図１１を参照すると、本発明の一実施例において、ピストンボディー１３は結合軸部材１５から後方に離隔するように折れ溝１３ａが形成され得る。
【０１０８】
この時、折れ溝１３ａは、ピストンボディー１３に直角方向に外力を印加した時に容易に折れるように、ピストンボディーの内側方向に陥没形成されて一対で形成され得る。
【０１０９】
図２を参照すると、本発明の一実施例において、ガスケット１９はシリンダー１１の内部に上下移動可能に挿入され、シーリング性に優れているゴムや柔軟な合成樹脂で製作され得る。この時、ガスケット１９はシリンダー１１の内周面に密着して嵌め込まれて移動する。
【０１１０】
一方、本発明の一実施例において、ガスケット１９は円柱状であって、ガスケットの外周面には内側方向にシワ部１９ａが形成され得る。この時、シワ部１９ａはアコーディオンの形態で形成され得る。
【０１１１】
本発明の一実施例に係るピストンボディー１３は、ガスケット１９のシワ部１９ａを通じてシリンダー１１の内部に密着して嵌め込まれて注射液が漏れないようにすることができる。
【０１１２】
一方、図２を参照すると、本発明の一実施例において、ガスケット１９の中心部にはフィルターボディー５５の結合軸部材１５が挿入されて結合できるように結合ホール１９ｂが形成され得る。この時、結合軸部材１５がガスケット１９の結合ホール１９ｂに挿入されると、ガスケットの前面に係止突起１７が係止されて支持され得る。
【０１１３】
以下、本発明の一実施例に係るフィルター構造体を含む注射器の作動状態を説明する。
【０１１４】
図８を参照すると、本発明の一実施例において、ピストン１０を後方に引く時には、第２チェックバルブ６６とピストン１０のガスケット１９の間の空間に相対的な低圧が形成されて第１チェックバルブ６１の円盤部６２がフィルターボディー５５の第１排出ホール５６ｂに密着する状態となる。
【０１１５】
この時、切開線７１ａは注射液が吸入されると加圧力が大きくなって開かれ、注射液は第３吸入ホール６７ａを通じてシリンダーの内部に吸入される。
【０１１６】
この状態で注射液は、中心部に形成された第１流体経路例えば通過ホール５４ａ、第２吸入ホール６１ａ、第１吸入ホール５９および第３吸入ホール６７ａを通って第２チェックバルブ６６とピストン１０のガスケット１９の間の空間に流入する。
【０１１７】
また、図９を参照すると、本発明の一実施例において、ピストン１０を前方に押す時には、第２チェックバルブ６６とピストン１０のガスケット１９の間の空間に相対的な高圧が形成されて第１チェックバルブ６１の円盤部６２がフィルターボディー５５の第１排出ホール５６ｂから離隔する状態となる。
【０１１８】
この時、注射液が排出されると加圧力が小さくなって切開線７１ａが閉じられ、注射液は第２排出ホール６８を通じてフィルター部材６５を通過して排出される。
【０１１９】
この状態で注射液は、第１流体経路の外周部に形成された第２流体経路例えば第２排出ホール６２、第１排出ホール６８および通過ホール５４ａを通ってシリンダーの外部に排出される。
【０１２０】
一方、図７および図８を参照すると、注射液をすべて排出した注射器１はピストン１０をさらに前方に押して結合軸部材１５の係止突起１７がフィルターボディー５５の支持段５７ａに係止されるようにする。
【０１２１】
その後、ピストン１０を後方に引いて注射針３４がシリンダー１１の内部に完全に入り、ピストンボディー１３に形成された折れ溝１３ａがシリンダーの外部に露出するようにする。
【０１２２】
この時、折れ溝１３ａに外力を加えてピストンボディー１３を切断させるとピストン１０をそれ以上引っ張ることができなくなるため、注射針３４をシリンダー１１の外部に取り出すことができなくなる。
【０１２３】
これを通じて本発明の一実施例に係るフィルター構造体を含む注射器１は、注射針の再使用を防止するとともに注射針が外部に抜け出ないようにするため、注射器を廃棄する過程において注射針に刺される安全事故も防止することができる。
【０１２４】
本発明の一実施例に係る注射器用フィルター構造体を含む注射器は、フィルター構造体を含んで注射液を注射器内に注入する時はフィルター部材を通さず、注射液を患者に注入する時はフィルター部材を通すようにすることによって、注射過程が簡便であり、かつ異物が患者に注入されないようにすることができる。
【０１２５】
以上、本発明の一実施例について説明したが、本発明の思想は本明細書に提示される実施例に制限されず、本発明の思想を理解する当業者は同じ思想の範囲内で、構成要素の付加、変更、削除、追加などによって他の実施例を容易に提案できるであろうが、これも本発明の思想範囲に属すると言える。
【産業上利用の可能性】
【０１２６】
本発明の一実施例に係る注射器用フィルター構造体を含む注射器は、フィルター構造体を含んで注射液を注射器内に注入する時はフィルター部材を通さず、注射液を患者に注入する時はフィルター部材を通すようにすることによって、注射過程が簡便であり、かつ異物が患者に注入されないようにすることができる。
【０１２７】
本発明の一実施例に係るフィルター構造体を含む注射器は、注射針の再使用を防止するとともに注射針が外部に抜け出ないようにするため、注射器を廃棄する過程で注射針に刺される安全事故も防止することができる。
【図１】
2018515264.tif 000003
【図２】
2018515264.tif 000004
【図３】
2018515264.tif 000005
【図４】
2018515264.tif 000006
【図５】
2018515264.tif 000007
【図６】
2018515264.tif 000008
【図７】
2018515264.tif 000009
【図８】
2018515264.tif 000010
【図９】
2018515264.tif 000011
【図１０】
2018515264.tif 000012
【図１１】
2018515264.tif 000013
【国際調査報告】
2018515264.tif 000014
2018515264.tif 000015
2018515264.tif 000016
2018515264.tif 000017